(57)【要約】    【課題】  簡単な構造であり、スムーズであり、経済的に作ることができ、同時に機能的である止め具を提供する。    【解決手段】  形状記憶アクチュエーターを備えた止め具は、固定支持構造体1の内部で滑動して、ばね手段８で押圧されるカム手段７によってそれらの相互離間位置に通常保持される二つの止め要素５を含んでいる。形状記憶アクチュエーターは、相互近接位置に向けて二つの止め要素５を移動させることを可能にする位置にカム手段７を移動させるために電流を流すことによって長さが短くなる。【選択図】図２
2004345631.tif 000002
【特許請求の範囲】
【請求項１】
固定支持構造体(1)と、
固定支持構造体(1)の内部に滑動自在に取り付けられて、相互近接位置と相互離間位置との間で移動することのできる一対の止め要素(5)であって、対応する止め面と協働するために止め要素(5)が固定構造体(1)の両側から突出する一対の止め要素(5)と、
二つの止め要素(5)をそれらの相互近接位置に押し戻す第一のばね手段(6)と、
前記第一のばね手段(6)の作用に抗して、二つの止め要素(5)をそれらの相互離間位置に向けて押圧するためのカム手段(7)と、
二つの止め要素(5)を相互離間位置に二つの止め要素(5)を保持する位置に向けて押圧するための第二のばね手段(8)と、
前記第一のばね手段(6)の作用の下で二つの止め要素(5)がそれらの相互近接位置に自由に移動することができる位置に向けて、前記第二のばね手段の作用に抗して、前記カム手段を戻すための形状記憶アクチュエーター(12)と、
を備えることを特徴とする止め具。
【請求項２】
熱を発生させて形状記憶効果で長さを短くするために、前記アクチュエーター(12)は、固定支持構造体(1)と前記カム手段との間に配置された少なくとも一つ以上の形状記憶ワイヤーと、前述の形状記憶ワイヤー(13)を通じて電流を供給するための手段と、を含んでおり、二つの止め要素(5)が相互近接位置に向けて移動することのできる位置に向けて前述のカム手段(7)を移動させることを特徴とする、請求項１記載の止め具。
【請求項３】
固定支持構造体とカム手段との間に並行に配置された二つのワイヤーを含むことを特徴とする、請求項２記載の止め具。
【請求項４】
二つのワイヤーは、前記カム手段を中心にしてＵ字状に湾曲した一つのワイヤーの二つのブランチによって規定されていることを特徴とする、請求項３記載の止め具。
【請求項５】
前述のカム手段は、二つの止め要素(5)の傾斜表面(5a)にそれぞれ面して協働する二つの対向するＶ字形の傾斜面(7a)を有するくさび形要素(7)からなることを特徴とする、請求項１記載の止め具。
【請求項６】
前記くさび形要素(7)は、前記形状記憶ワイヤー(13)と係合するための半円周溝を有する部分(7b)を備えていることを特徴とする、請求項５記載の止め具。
【請求項７】
前述の形状記憶ワイヤーは、合成材料コーティング(18)と共押出しすることによって得られることを特徴とする、請求項４記載の止め具。
【請求項８】
形状記憶ワイヤー(13)の対向した隣接した端部は、二つのブッシング(16)に対して固定され、両ブッシングは、支持構造体(1)に固定された金属チューブ(15)の端部に固定されていることを特徴とする、請求項７記載の止め具。
【請求項９】
前記金属チューブ(15)の内部には、共押出しされたコーティング(18)を備えた前述の形状記憶ワイヤー(13)によって交差しているさや(19)が配置されていることを特徴とする、請求項８記載の止め具。
【請求項１０】
形状記憶ワイヤー(13)の二つの並行なブランチで規定される面について直交する面において、くさび形要素(7)の対向した傾斜面(7a)が、Ｖ字形状をしていることを特徴とする、請求項５記載の止め具。
【発明の詳細な説明】
【技術分野】
【０００１】
本発明は、第一の移動構造体が第二の構造体について少なくともある方向に移動することを防ぐための解除可能な止め具を配置することが必要なあらゆる用途において利用可能な止め具（stop device）に関する。
【発明の開示】
【発明が解決しようとする課題】
【０００２】
本発明の目的は、簡単な構造であり、スムーズであり、経済的に作ることができ、同時に機能的である止め具を提供することである。
【課題を解決するための手段】
【０００３】
この目的を達成するために、本発明の目的は、添付した請求項１に規定された特徴を有する止め具を提供することである。本発明のさらに有利な特徴は、残りの従属請求項において規定されている。
【発明を実施するための最良の形態】
【０００４】
本発明は、制限的な実施例を与えるものではない添付図面を参照しながら説明される。図面について説明する。数字1は、一般に同じものを受け入れるように設計されているあらゆる構造体に構造体1を取り付けることを可能にするための二つのエンド・フランジ3，4を備えた金属板からなる箱形ボディ２を備える固定支持構造体を示している。
【０００５】
箱形ボディ2内では、二つの止め要素5が滑動自在に取り付けられている。二つの止め要素5は、図３に示されている相互離間位置と相互近接位置との間で移動可能である。図３に示されている前述の相互離間位置では、二つの止め要素5は、構造体に配置された止め面(不図示)で協働するように設計されている。他方の構造体に関して構造体の止め位置を決定するために、本発明に係るデバイスを備える構造体は、移動可能である。説明および添付図面では、本発明の目的をなすデバイスが一般的に使用されるものであるので、それらの間で相互に移動可能なこれらの構造は示されていない。
【０００６】
実施例として、止め具を備える構造体は、自動車の格納式のバンパーである。
【０００７】
止め要素5の各々で、第一及び第二のコイルばね6は係合している(そのうちの一つは図３に部分的に示されている)。第一及び第二のコイルばね6は、図２に示されている止め要素5の穴軸6aに応じて配置されている。コイル6は、二つの止め要素5をそれらの相互近接位置の方に保持しやすくするために引き寄せられた状態で作動するように配置される。
【０００８】
図３に明瞭に示されているように、二つの止め要素5は、それぞれ、対面した実質的にＶ字形をしている二つの傾斜表面5aを有している。二つの傾斜表面5aは、カムの役割をして、くさび形要素7の二つの対向する傾斜面7aと協働する。ばね6の作用に抗して、二つの止め要素5をそれらの相互離間位置に保持するために、くさび形要素7は、二つのコイルばね8によって左側に(図3において)押圧されている。そして、くさび形要素7は、対向する斜面7a、5aの係合により二つの止め要素5を箱ボディ2から突出させるカムの役割をしている。
【０００９】
図３について説明する。くさび形要素7の移動は、固定された支持構造体1に属するブラケット10に固定された二つのブッシング9内で駆動される。ブラケット10内では、二つの円筒状のピン11は、滑動自在に取り付けられているとともに、くさび形要素7に一方の側の端で固定されている。
【００１０】
二つの止め要素5をそれらの相互近接位置に戻すために、形状記憶アクチュエーター12は配置されている。図示した実施例の形状記憶アクチュエーター12は、略Ｕ字型に配置された形状記憶ワイヤー13を含んでいる。二つのブランチ14は実質的に並列しており、中間結合部13aはくさび形要素7に固定された案内要素7bの湾曲した溝に係合している(図２を参照すること。)。
【００１１】
形状記憶ワイヤー13からなる二つの対向して隣接する端部は、固定支持構造体1に堅固に接続されている。このことは、二つの堅固な金属チューブ15を用いることにより達成される。各々は、ブラケット10に固定された端部を有している。その反対側の端部は、Ｈ形の断面を備えた金属ブッシング16を有している。ブッシング16の内部では、可撓性を有するケーブル13のそれぞれの端に固定されたブロック17が取り付けられている。
【００１２】
ケーブル13は、形状記憶合金の押し出しによって作られる。ケーブル13とともに、共押出方法を適用することによって、合成材料コーティング18が得られる。これは、本出願人が既に出願した特許出願TO2003A000045(まだ機密状態にある)のものと同じものである。このコーティングの働きは、下記のことから明白であろう。その共押出しされたさや18を備えたワイヤー13の全体は、さや19に挿通されている(図２)。さや19の一端がブラケット10に固定されており、さや19の他端がブッシング16の交差セクター（cross sector）に対して終端している。
【００１３】
ワイヤー13を通じて電流を供給するための手段(不図示)も設けられている。電流が流れる結果、ワイヤー13は加熱される。また、形状記憶により、ワイヤー13の長さが短くなる。ワイヤーの二つの対向端部がブッシング16(それらは固定支持構造体1に堅固に接続されている)に接続されているので、ワイヤーの長さが短くなることは、ワイヤーの中間結合部13aをワイヤーの二つの隣接端部の方向に移動させる。すなわち、ばね8の作用に抗して、くさび形要素7を右側に移動させる(図３を参照すること。)。その結果、このくさび形要素7の変位によって、ばね6の作用で、二つの止め要素5がそれらの相互近接位置に向かって移動する。二つの止め要素5は、もはや、くさび形要素7に対向していない。そして、止め具はこの状態で解除されている。電流の供給が終わったとき、図３に示されるように、くさび形要素7は、ばね8によってその開始位置に押し戻される。それによって、くさび形要素7は、二つの止め要素5をそれらの延伸した（drawn）動作位置に押圧する。
【００１４】
形状記憶ワイヤー13で共押出しされたコーティング18を用いることの利点は、電流の供給が終わったときにワイヤーを静止状態に戻すことをより素早く行わせるために、一方で電流供給を中断したあとにワイヤーの冷却を早めることであり、他方でワイヤーの全長にわたって配置されたある種のばねとして作用することである。
【００１５】
しかしながら、明らかに、構成の詳細および実施形態は、本発明の範囲を逸脱することなく、単なる実施例として記載されたものを幅広く変形することができるであろう。
【００１６】
一つのＵ字型ワイヤーの代わりに、例えば、二つのワイヤーが、例えば、並行で使用される。本願に図示された二つのワイヤー・ブランチの一つだけに対応する一つのワイヤーであってもよい。さらに、形状記憶要素も、剛性のある細長い要素であってもよい。
【図面の簡単な説明】
【００１７】
【図１】本発明に係る止め具の斜視図である。
【図２】図1のデバイスの部分断面図である。
【図３】図１及び２のデバイスの断面図である。
【符号の説明】
【００１８】
１  支持構造体
２  箱形ボディ
３  エンド・フランジ
４  エンド・フランジ
５  止め要素（stop element）
５ａ  傾斜表面
６  コイルばね
７  くさび型要素
７ａ  傾斜面
７ｂ  案内要素
８  コイルばね
９  ブッシング（bushing）
１０  ブラケット（bracket）
１１  ピン
１２  形状記憶アクチュエーター
１３  ワイヤー
１３ａ  中間結合部
１４  ブランチ（branch）
１５  金属チューブ
１６  ブッシング（bushing）
１７  ブロック
１８  コーティング
１９  さや（sheath）
【図１】
2004345631.tif 000003
【図２】
2004345631.tif 000004
【図３】
2004345631.tif 000005